(57)【要約】【課題】  開弁するときの真空圧を変更することができると共に、強制閉弁させたりありいは強制開弁させたりすることができ真空破壊弁を提供する。【解決手段】  本体１と蓋部材２から構成する弁ケーシングで流体配管系に接続される流入口６と弁室３と大気に開口される大気口４を形成し、大気口４と弁室３の間に環状弁座５を設け、環状弁座５を開閉するディスク状弁体７を弁室３内に配置する。蓋部材２を気密的に貫通して進退操作可能に操作棒９を配置し、弁体７を環状弁座５へ付勢するコイルバネ８を弁体７と操作棒９の間に配置する。操作棒９の内端とディスク状弁体7にフランジ１３、１４を設けて、操作棒９の位置に応じてディスク状弁体７を環状弁座５に着座させて強制閉弁させあるいはディスク状弁体７を環状弁座５から離座させて強制開弁させあるいはディスク状弁体７の環状弁座５への離着座を妨げないように操作棒９とディスク状弁体７を連結する。【選択図】      図１
2012087830.tif 000002
【特許請求の範囲】
【請求項１】
弁ケーシングで流体配管系に接続される流入口と弁室と大気に開口される大気口を形成し、大気口と弁室の間に環状弁座を設け、環状弁座を開閉する弁体を弁室内に配置し、弁体を環状弁座へ付勢するバネを設けたものにおいて、弁ケーシングを気密的に貫通して進退操作可能に操作棒を配置し、弁体を環状弁座へ付勢するバネを弁体と操作棒の間に配置し、操作棒の内端と弁体にフランジを設けて、操作棒の位置に応じて弁体を環状弁座に着座させて強制閉弁させあるいは弁体を環状弁座から離座させて強制開弁させあるいは弁体の環状弁座への離着座を妨げないように操作棒と弁体を連結したことを特徴とする真空破壊弁。
【発明の詳細な説明】
【技術分野】
【０００１】
本発明は、流体配管や流体機器等の流体配管系に接続して流体配管系が真空状態になったときに大気を導入して真空状態を破壊する真空破壊弁に関する。
【背景技術】
【０００２】
従来の真空破壊弁は、例えば特許文献１に開示されている。これは、弁ケーシングで流体配管系に接続される流入口と弁室と大気に開口される大気口を形成し、大気口と弁室の間に環状弁座を設け、環状弁座を開閉する弁体を弁室内に配置し、弁体を環状弁座へ付勢するバネを設けたもので、常時は弁体が環状弁座に着座して閉弁し流入口側が真空状態となり真空圧とばねの付勢力に大気圧が打勝ったときに弁体が環状弁座から離座して開弁するものである。
【先行技術文献】
【特許文献】
【０００３】
【特許文献１】特開２００９−１２１６１１号公報
【発明の概要】
【発明が解決しようとする課題】
【０００４】
上記従来の真空破壊弁は、常時は閉弁し流入口側が真空状態となり真空圧とばねの付勢力に大気圧が打勝ったときに弁体が環状弁座から離座して開弁するものであるが、開弁するときの真空圧を変更するためには、付勢力の異なるバネを組込まなければならない問題点があった。また、弁体を環状弁座に強制的に着座させて強制閉弁させたりありいは弁体を環状弁座から強制的に離座させて強制開弁させたりすることができない問題点があった。
【０００５】
したがって本発明が解決しようとする課題は、単一のバネを用いて開弁するときの真空圧を変更することができると共に、弁体を環状弁座に強制的に着座させて強制閉弁させたりありいは弁体を環状弁座から強制的に離座させて強制開弁させたりすることができ真空破壊弁を提供することである。
【課題を解決するための手段】
【０００６】
上記の課題を解決するために、本発明の真空破壊弁は、弁ケーシングで流体配管系に接続される流入口と弁室と大気に開口される大気口を形成し、大気口と弁室の間に環状弁座を設け、環状弁座を開閉する弁体を弁室内に配置し、弁体を環状弁座へ付勢するバネを設けたものにおいて、弁ケーシングを気密的に貫通して進退操作可能に操作棒を配置し、弁体を環状弁座へ付勢するバネを弁体と操作棒の間に配置し、操作棒の内端と弁体にフランジを設けて、操作棒の位置に応じて弁体を環状弁座に着座させて強制閉弁させあるいは弁体を環状弁座から離座させて強制開弁させあるいは弁体の環状弁座への離着座を妨げないように操作棒と弁体を連結したことを特徴とするものである。
【発明の効果】
【０００７】
本発明によれば、弁ケーシングを気密的に貫通して進退操作可能に操作棒を配置し、弁体を環状弁座へ付勢するバネを弁体と操作棒の間に配置したことにより、操作棒を前進させて弁体に近づけるとバネの付勢力を強めて高真空で開弁させることができ、操作棒を後退させて弁体から遠ざけるとバネの付勢力を弱めて低真空で開弁させることができ、単一のバネを用いて開弁するときの真空圧を変更することができるという効果を奏する。また、操作棒の内端と弁体にフランジを設けて、操作棒の位置に応じて弁体を環状弁座に着座させて強制閉弁させあるいは弁体を環状弁座から離座させて強制開弁させあるいは弁体の環状弁座への離着座を妨げないように操作棒と弁体を連結したことにより、操作棒を弁体の環状弁座への離着座を妨げない位置に操作すると弁体が環状弁座に自動的に離着座して環状弁座を開閉し、弁体が環状弁座に強制的に着座する位置に操作すると環状弁座を強制閉弁でき、弁体が環状弁座から強制的に離座する位置に操作すると環状弁座を強制開弁できるという効果を奏する。
【図面の簡単な説明】
【０００８】
【図１】本発明の実施の形態に係わる真空破壊弁の断面図である。
【発明を実施するための形態】
【０００９】
以下、本発明の実施の形態について、図１を参照して説明する。本体１と蓋部材２から弁ケーシングを構成し、弁ケーシング内に弁室３を形成する。本体１に大気に開口される大気口４と、大気口４の弁室３側開口端に設けた環状弁座５と、流体配管系に接続される流入口６とを形成する。環状弁座５に離着座して環状弁座５を開閉するディスク状弁体７を環状弁座５に対向して弁室３内に配置する。
【００１０】
蓋部材２に操作棒９を貫通してねじ結合する。ディスク状弁体７と操作棒９の間にディスク状弁体７を環状弁座５に付勢するコイルバネ８を配置する。蓋部材２に操作棒９との間の気密を保つためのＯリング１０を配置する。操作棒９は外端にハンドル１１を連結して回転できるようにする。これにより、操作棒９をねじ進退操作可能にする。操作棒９の内端に穴を開け、ディスク状弁体７に固着した連結棒１２を挿入する。連結棒１２の先端にフランジ１３を設け、操作棒９の穴の下端にスナップリング等を嵌めて内向きのフランジ１４を設け、操作棒９とディスク状弁体７を連結する。これにより、操作棒９をねじ込めば、その内端の穴の奥壁が連結棒１２のフランジ１３に当接し、ディスク状弁体７を環状弁座５に強制的に着座させて環状弁座５を強制閉弁させる。操作棒９をねじ戻せば、操作棒９のフランジ１４が連結棒１２のフランジ１３に当接し、ディスク状弁体７を環状弁座５から強制的に離座させて環状弁座５を強制開弁させる。操作棒９を上記の中間位置にすれば、ディスク状弁体７は操作棒９に妨げられずに環状弁座５に自動的に離着座して環状弁座５を自動的に開閉し、操作棒９をねじ込めばコイルバネ８の付勢力を強めて流入口６が高真空で開弁させることができ、操作棒９をねじ戻せばコイルバネ８の付勢力を弱めて流入口６が低真空で開弁させることができる。
【００１１】
図１は操作棒９が中間位置に操作され、流入口６側の流体圧力及びコイルバネ８のバネ付勢力が大気口４の流体圧力よりも大きな常時であり、ディスク状弁体７が環状弁座５に自動的に着座して環状弁座５を自動的に閉弁した状態を示している。流入口６側が真空状態になり、流入口６の流体圧力及びコイルバネ８のバネ付勢力が大気口４の流体圧力よりも小さくなると、ディスク状弁体７がコイルバネ８を圧縮して環状弁座５から自動的に離座して環状弁座５を自動的に開弁する。これにより、大気口４から流入口６側に大気を導入して真空状態を破壊する。
【００１２】
操作棒９をねじ込んで前進させ弁体７に近づけるとコイルバネ８の付勢力を強めて流入口６が高真空で開弁させることができ、更に操作棒９をねじ込んで連結棒１２のフランジ１３を押し込むとディスク状弁体７を環状弁座５に強制的に着座させて環状弁座５を強制閉弁させることができる。操作棒９をねじ戻して後退させ弁体７から遠ざけるとコイルバネ８の付勢力を弱めて流入口６が低真空で開弁させることができ、更に操作棒９をねじ戻して連結棒１２のフランジ１３を引き戻すとディスク状弁体７を環状弁座５から強制的に離座させて環状弁座５を強制開弁させることができる。
【産業上の利用可能性】
【００１３】
本発明は、流体配管や流体機器等の流体配管系に接続して流体配管系が真空状態になったときに大気を導入して真空状態を破壊する真空破壊弁に利用することができる。
【符号の説明】
【００１４】
１  本体
２  蓋部材
３  弁室
４  大気口
５  環状弁座
６  流入口
７  ディスク状弁体
８  コイルバネ
９  操作棒
１２  連結棒
１３  フランジ
１４  フランジ
【図１】
2012087830.tif 000003